(57)【特許請求の範囲】
【請求項１】
用紙を中間用紙収容手段に一旦収容し、該中間用紙収容手段に収容した用紙を搬送路に向けて排出して搬送する用紙搬送装置において、
該中間用紙収容手段の底板との間に収容されている用紙の厚みよりも大きい間隔を有し且つ該中間用紙収容手段に収容するときに用紙が進入してくる進入経路を塞ぎつつ該中間用紙収容手段からスイッチバックされて排出される用紙の排出方向の先端部を該搬送路に向けて案内する案内位置と、該中間用紙収容手段に向けて該進入経路を進行してくる用紙との接触を回避した回避位置との間で移動自在に設けられた案内部と、
該中間用紙収容手段に進入してくる用紙が当接することにより変位して、該案内位置に位置する該案内部を該回避位置に移動させる当接部とを備えたことを特徴とする用紙搬送装置。
【請求項２】
上記当接部を、上記用紙の進入方向と直交する方向の該用紙の複数箇所に当接するように複数設けたことを特徴とする請求項１の用紙搬送装置。
【請求項３】
上記案内部が上記案内位置にないことを検知する検知手段を設けたことを特徴とする請求項１の用紙搬送装置。
【請求項４】
開閉可能なドアと、該ドアが開く動作に連動して、上記案内部を有する案内部材をジャム処理可能な位置に退避させる、該ドアと該案内部材との間のリンク機構とを設けたことを特徴とする請求項１の用紙搬送装置。
【請求項５】
上記中間用紙収容手段へ用紙を排出するための用紙排出用回転体と同軸に、該中間用紙収容手段への進入方向における該用紙の後端部をはたき落すブラシ状回転体を設け、
該ブラシ状回転体と上記案内部を有する案内部材とが干渉しないように構成したことを特徴とする請求項１の用紙搬送装置。
【請求項６】
画像形成部から搬送された転写材としての用紙を中間用紙収容手段に一旦収容し、該中間用紙収容手段に収容した用紙を搬送路に向けて排出して搬送する用紙搬送装置を備えた画像形成装置において、
該用紙搬送装置として、請求項１乃至５のいずれかの用紙搬送装置を用いたことを特徴とする画像形成装置。
【発明の詳細な説明】
【０００１】
【産業上の利用分野】
本発明は、用紙を中間用紙収容手段に一旦収容し、該中間用紙収容手段に収容した該用紙を該搬送路に向けて排出して搬送する用紙搬送装置、及び該用紙搬送装置を備えた複写機、ファクシミリ、プリンター等の画像形成装置に関するものである。
【０００２】
【従来の技術】
従来、この種の用紙搬送装置を備えた画像形成装置としては、例えば、図２に示すように、片面画像形成後の用紙である転写紙Ｐを、分岐爪５１を切り替えることによって、搬送ガイド板５２，５３等で構成される搬送路の方向に送り出し、該搬送路の所定位置に設けられた搬送ローラによって向きを徐々に反転させながら搬送し、画像形成部の下方に設けた中間用紙収容手段としての両面トレイ５７に一旦スタックして収容し、その後、送り出しローラ５８ａによって両面トレイ５７上の転写紙を下からスイッチバックさせて、左方の転写紙再供給のための搬送路５８の入口部に設けられた分離部側に送りだし、該入口部の進入ガイド５８ｅに入り込ませ、搬送ローラ５８ｂ及び分離ベルト５８ｃによって１枚ずつ分離し、搬送方向を反転させながら搬送し、画像形成部に再供給することによって転写紙Ｐの両面に画像形成を行なうものが知られている。
【０００３】
【発明が解決しようとする課題】
ところが、上記構成の画像形成装置においては、片面画像形成後の転写材を両面トレイ５７に一旦収容した際、転写紙Ｐの後端にフェイスカール（上方向のカール）があると、転写紙Ｐをスイッチバックさせて上記再給紙用の搬送路５８の分離部側に送り出すとき、進入ガイド５８ｅに入り込まない場合がある。このように転写紙が進入ガイド５８ｅに入り込まない場合には、再給紙時不送りや、両面スタック時に次の転写紙Ｐがひっかかるジャムといった不具合が発生する。
【０００４】
本発明は以上の問題点に鑑みなされたものであり、その目的は、用紙のカール等の変形によるジャムの発生が防止でき、また、何らかの原因でジャムが発生したとしてもジャム処理が容易な用紙搬送装置及び該用紙搬送装置を備えた画像形成装置を提供することである。
【０００５】
【課題を解決するための手段】
上記の目的を達成するために、請求項１の発明は、用紙を中間用紙収容手段に一旦収容し、該中間用紙収容手段に収容した用紙を搬送路に向けて排出して搬送する用紙搬送装置において、該中間用紙収容手段の底板との間に収容されている用紙の厚みよりも大きい間隔を有し且つ該中間用紙収容手段に収容するときに用紙が進入してくる進入経路を塞ぎつつ該中間用紙収容手段からスイッチバックされて排出される用紙の排出方向の先端部を該搬送路に向けて案内する案内位置と、該中間用紙収容手段に向けて該進入経路を進行してくる用紙との接触を回避した回避位置との間で移動自在に設けられた案内部と、該中間用紙収容手段に進入してくる用紙が当接することにより変位して、該案内位置に位置する該案内部を該回避位置に移動させる当接部とを備えたことを特徴とするものである。
【０００６】
また、請求項２の発明は、請求項１の用紙搬送装置において、上記当接部を、上記用紙の進入方向と直交する方向の該用紙の複数箇所に当接するように複数設けたことを特徴とするものである。
【０００７】
また、請求項３の発明は、請求項１の用紙搬送装置において、上記案内部が上記案内位置にないことを検知する検知手段を設けたことを特徴とするものである。
【０００８】
また、請求項４の発明は、請求項１の用紙搬送装置において、開閉可能なドアと、該ドアが開く動作に連動して、上記案内部を有する案内部材をジャム処理可能な位置に退避させる、該ドアと該案内部材との間のリンク機構とを設けたことを特徴とするものである。
【０００９】
また、請求項５の発明は、請求項１の用紙搬送装置において、上記中間用紙収容手段へ用紙を排出するための用紙排出用回転体と同軸に、該中間用紙収容手段への進入方向における該用紙の後端部をはたき落すブラシ状回転体を設け、該ブラシ状回転体と上記案内部を有する案内部材とが干渉しないように構成したことを特徴とするものである。
【００１０】
また、請求項６の発明は、画像形成部から搬送された転写材としての用紙を中間用紙収容手段に一旦収容し、該中間用紙収容手段に収容した用紙を搬送路に向けて排出して搬送する用紙搬送装置を備えた画像形成装置において、該用紙搬送装置として、請求項１乃至５のいずれかの用紙搬送装置を用いたことを特徴とするものである。
【００１１】
【作用】
請求項１及び６の発明においては、中間用紙収容手段に収容された用紙を排出用の搬送路の入口部に向けて移動する際に、案内部が中間用紙収容手段に収容された用紙の排出方向の先端を該入口部に案内するので、用紙にカール等の変形があった場合でも、用紙が排出用の搬送路に確実に案内される。
また、用紙を中間用紙収容手段へ進入させて収容する際には、用紙が当接する当接部の変位により、上記案内位置に位置する案内部が、用紙をよける回避位置に移動するので、用紙が確実に中間用紙収容手段に収容される。
【００１２】
請求項２及び６の発明においては、上記当接部を、用紙の通過方向に直交する方向の該用紙と複数箇所で当接するように複数設けていることにより、当接部の用紙への当接圧力が分散され、各当接位置における当接圧力が小さくなる。
【００１３】
請求項３及び６の発明においては、用紙を中間用紙収容手段へ収容した後、その収容不良によって用紙のジャムが発生したときは、上記案内部が上記案内位置に移動しないので、上記検知手段によって該用紙のジャムが検知される。
【００１４】
請求項４及び６の発明においては、上記案内部を有する案内部材の周辺で用紙のジャムが発生したときに上記ドアを開くと、上記リンク機構によって、ドアを開く動作に連動して案内部材がジャム処理可能な位置に退避する。
【００１５】
請求項５及び６の発明においては、上記用紙排出用回転体によって用紙を上記中間用紙収容部へ排出するとともに、上記ブラシ状回転体によって用紙の後端部をたたき落すことにより、用紙が確実に中間用紙収容手段に収容される。
また、ブラシ状回転体と上記案内部を有する案内部材が干渉しないように構成することにより、案内部材がブラシ状回転体に接触して、ブラシ部材が抜けたり寝ぐせがつく等のブラ状回転体の損傷の発生を防止できる。
【００１６】
【実施例】
以下、本発明を画像形成装置である電子写真複写機（以下、複写機という）に適用した一実施例について説明する。
図３は本実施例に係る複写機の概略構成を示す正面図であり、本複写機は、主に自動原稿給紙部１、露光光学ユニット２、本体部３、及びバンク給紙部４により構成されている。
上記本体部３の画像形成部には、時計回りに回転駆動可能な感光体ドラム３１が配設され、その周囲には帯電チャージャ３２、現像装置３３、転写装置３４、クリーニング装置３５などが配設されている。感光体ドラム３１は表面に感光層を設けたもので、帯電チャージャ３２によって均一帯電され、自動原稿給紙部１から給紙された原稿の画像が露光光学ユニット２によって露光され、静電潜像が形成される。この静電潜像は現像装置３３によって顕像化されて、トナー像が形成される。このトナー像は、転写装置３４によってバンク給紙部４から給紙された用紙としての転写紙Ｐに転写された後、定着装置３６によって定着される。一方、転写後に感光体ドラム３１上に残留するトナー等はクリーニング装置３５によってクリーニングされ、次の画像形成に備えられる。
【００１７】
また、上記本体部３には、転写紙Ｐの両面にコピーするために、片面コピー後の転写紙Ｐを反転させて再度上記画像形成部に供給する用紙搬送装置としての両面ユニット５が設けられている。
図１は、両面ユニット５の概略構成を示す正面図である。この両面ユニット５は、分岐爪５１、搬送路としての外側ガイド板５２及び内側ガイド板５３、搬送ローラ５４，５５、支軸５６ａ上に固定された用紙排出用回転体としての排出ローラ５６、中間用紙収容手段としての中間トレイ５７、再給紙用の搬送路５８、転写紙センサ５９等で構成される。
【００１８】
上記外側ガイド板５２は転写紙Ｐの反転外側をガイドし、上記内側ガイド板５３は上下方向に回動自在に側板間に段ねじで軸支され、転写紙Ｐの反転内側をガイドする。また、内側ガイド板５３には、外側ガイド板５２と内側ガイド板５３との間隔を適正に保つためのマグネット等で構成されたスペーサ５３ａが取り付けられている。なお、スペーサ５３ａの代わりに、内側ガイド板５３の一部を切り起こしてもよい。また、内側ガイド板５３には、上記排出ローラ５６と対をなし、加圧部材５３ｂにより加圧された、排出従動ローラ５３ｃが取り付けられている。
また、上記中間トレイ５７は、収容した転写紙Ｐを分離部側に送り込んで寄せるための寄せコロ５７ａ、収容した転写紙Ｐを左右方向（図１の紙面垂直方向）に揃えるためのジョガーフェンス５７ｂを備えている。
【００１９】
上記両面ユニット５において、定着装置３６によって定着された片面コピー後の転写紙Ｐは、搬送ローラ５４によって搬送駆動され、分岐爪５１を切り換えることによって外側ガイド板５２側に案内され、搬送ローラ５５及び排出ローラ５６によってさらに搬送駆動され、中間トレイ５７上に収容される。各転写紙の収容の際に、転写紙Ｐの後端の通過が転写紙センサ５９で検知された後、所定のタイミングで寄せコロ５７ａ及びジョガーフェンス５７ｂが動作してスイッチバックが行なわれ、転写紙Ｐが揃えられながら左方の搬送路５８の分離部に寄せられてスタックされる。そして、上記自動原稿給紙部１における原稿の枚数だけ転写紙Ｐのスタックが終了した後、例えば、ユーザーが再給紙ボタンを押すことにより、搬送路５８の送り出しローラ５８ａによってスタックされた転写紙Ｐの下の方から左方に送り出され、搬送ローラ５８ｂ及び分離ベルト５８ｃによって分離されて搬送方向を右方向に変えられ、再給紙用搬送ローラ等によって上記画像形成部に供給される。両面のコピーが終了した転写紙Ｐは、分岐爪５１の選択により排紙トレイ３７上に排紙される。
【００２０】
ところで、前述したように、転写紙Ｐが中間トレイ５７に収容されたときに転写紙Ｐの後端に大きいカール等の変形があると、転写紙Ｐがスイッチバックされる際、搬送路５８の分離部に設けられた進入ガイド５８ｅに入り込まない場合があり、ジャムとなってしまう。
【００２１】
そこで、本実施例では、図１及び図４に示すように、案内部６１ａを有する案内部材６１を備えている。この案内部材６１は、支軸６１ｂを中心に上下方向に回動するように、内側ガイド板５３上に回動自在に取り付けられた支軸６１ｂに固定されており、案内部６１ａは、転写紙Ｐが中間トレイ５７に収容されたときに転写紙Ｐの後端を搬送路５８に向けて案内するものである。また、転写紙Ｐが中間トレイ５７に収容される際に案内部材６１の案内部６１ａを回避位置に移動させる位置切換手段として、支軸６１ｂに固定され、中間トレイ５７へ進入する転写紙Ｐが当接することにより案内部材６１と連動して回動する当接部６２を設けている。
【００２２】
なお、上記当接部６２は、転写紙Ｐに損傷を与えるおそれがない場合には１個だけ設けるだけでもいいが、当接部６２が１個の場合、薄手の転写紙Ｐ（例えば４５ｇ紙）や極端に高湿に調湿された転写紙を使用すると、転写紙の先端に損傷を与えることがある。
そこで、本実施例では、図４の斜視図に示すように、当接部６２を、転写紙Ｐの先端の３ヵ所に分散して当接するように３個設けている。なお、当接部６２の個数は、３個に限定されるものではなく、２個又は４個以上設けてもよい。
【００２３】
また、図５に示すように、転写紙Ｐが中間トレイ５７に収容される際、転写紙の後端部が排出ローラ５６及び排出従動ローラ５３ｃを通過後、何らかの原因で排出不良となりジャムが発生した場合に、ジャム検知ができないと、さらに次の転写紙が送られてジャム処理がより困難になってしまう。
そこで、本実施例では、上記支軸６１ｂに固定され案内部材６１に合わせて上下方向に回動する案内部材検知用アーム６３、及びアーム６３の動作を検知するアーム検知センサ６４により構成される検知手段を設けている。アーム６３は、案内部材６１が転写紙の後端を案内する案内位置にあるときに、アーム検知センサ６４による検知位置にくるように、支軸６１ｂに固定されている。また、アーム検知センサ６４は、例えば、アーム６３の先端が当接することにより回動するフィラ状部材６４ａ、及びフィラ状部材６４ａの端部の位置変化を検知する光学センサ又はマイクロスイッチ等により構成することができる。
【００２４】
また、本実施例では、図４及び図６に示すように、排出ローラ５６の支軸５６ａに、転写紙Ｐが中間トレイ５７に収容されるときに転写紙Ｐの後端をたたき落すためのブラシ状回転体としてのブラシローラ７が取り付けられている。このブラシローラ７のブラシ部材は軟質材料で構成されており、転写紙Ｐが中間トレイ５７に収容される際に転写紙Ｐの先端にぶつかっても、容易に変形するので、転写紙Ｐの通過のじゃまにはならない。
なお、このブラシローラ７と上記案内部材６１の一部が干渉するような位置にあると、ブラシローラ７のブラシ部材が抜けたり、ブラシ部材に寝ぐせがついたりして、転写紙Ｐをたたき落す性能が低下し、ジャムを発生する可能性がある。
そこで、本実施例では、図６（ａ）に示すように、案内部材６１とブラシローラ７が互いに干渉しないように構成されている。なお、図６（ａ）ではブラシローラ７と案内部材６１のアーム部６１ｃが重なっているが、図６（ｂ）に示すように、支軸６１ｂ方向で干渉しないように位置設定されている。
【００２５】
また、転写紙Ｐが中間トレイ５７に収容されるときや中間トレイ５７からの再給紙時等に何らかの原因でジャムが発生した場合、ユーザがジャム処理をする際に上記案内部材６１がじゃまになり作業性が悪い。また、中間トレイ５７を装置本体手前側に引き出せるタイプの場合は、中間トレイ５７と案内部材６１とが干渉してしまい、破損等の不具合が生じる。
そこで、本実施例では、装置本体の開閉可能な前ドア８が開く動作に連動して、案内部材６１をジャム処理可能な位置に退避させる前ドア８と案内部材６１との間のリンク機構を設けている。このリンク機構は、図７に示すように、案内部材が取り付けられている内側ガイド板５３の当接部５３ｄ、該当接部５３ｄに係合する当接部８１ａを有し本体前側板に固定された支軸８１ｂ回動自在に取り付けられたガイド板解除レバー８１、該ガイド板解除レバー８１を上下方向に回動させる水平方向に回動可能なレバー回動アーム８２、該レバー回動アーム８２の回動支軸８３ａを有し本体前側板に取り付けられているブラケット８３、レバー回動アーム８２の付勢手段であるねじりコイルばね８４、前ドア８の一部であって前ドア８の開閉によりレバー回動アーム８２を回動させるレバー回動アーム当接部８ａ等から構成されている。
【００２６】
図８（ａ）及び（ｂ）は、上記リンク機構の動作を示す平面図及び正面図である。本体前ドア８が開いているときは、レバー回動アーム８２はねじりコイルばね８４によって実線で示す位置に付勢される。これにより、ガイド板解除レバー８１は実線の位置に移動され、ガイド板解除レバー８１の当接部８１ａが内側ガイド板５３の当接部５３ｄに当接し、図９に示すように案内部材６１が内側ガイド板５３とともにジャム処理可能な位置まで退避する。逆に、本体前ドア８が閉まっているときは、ドア８のレバー回動アーム当接部８ａがレバー回動アーム８２を二点鎖線の位置８２’まで押し込む。これにより、ガイド板解除レバー８１、内側ガイド板５３及び案内部材６１は、自重により外側ガイド板５２との適正な間隔を保ちセットされる。
【００２７】
以上、本実施例によれば、図１に示すように転写紙Ｐが中間トレイ５７に収容される際に、転写紙Ｐの先端が上記当接部６２の押圧して上方向に回動させることにより、案内部材６１を６１’の位置まで回動させる。その後、転写紙Ｐが中間トレイ５７に収容されると、案内部材６１は自由落下し、案内部６１ａが転写紙Ｐのカールした後端部に接触し、寄せコロ５７ａによって送り込まれる転写紙Ｐを確実に搬送路５８の分離部に設けられた進入ガイド５８ｅに入り込むように案内できるようになる。したがって、両面ユニット５においてジャムの発生を防止でき、再給紙の性能を向上させることができる。
【００２８】
また、本実施例によれば、図４に示すように、上記当接部６２を転写紙Ｐの先端の３ヵ所に分散して当接するように３個設けることにより、当接部６２の転写紙Ｐへの当接圧力が分散されるので、転写紙の損傷を防止できる。
なお、案内部材６１の案内部６１ａの案内位置及び回避位置の切り換え、すなわち案内部材６１の上下方向の回動に、通過する転写紙Ｐの当接部６２への当接圧力を利用しているが、ソレノイド等のアクチュエータを用いて制御することもできる。但し、案内部材６１の回動のストロークが長く、連続して通過する転写紙間が短い（例えば１５０msec）場合には、ソレノイドなどでは応答が間に合わず、適切な案内部材６１の回動制御が困難になることもある。この場合にも、本実施例のように、通過する転写紙Ｐの当接部６２への当接圧力を利用して案内部材６１を回動させれば、確実な動作を実現できる。
【００２９】
また、本実施例によれば、図５に示すように転写紙Ｐの排出不良があった場合には、案内部材６１が図１の実線に示す元の位置に戻らず、アーム６３がアーム検知センサ６４によって検知されないので、転写紙Ｐの排出不良を検知できる。この排出不良の検知結果に基づいて、転写紙停止制御手段により次の転写紙Ｐの搬送を停止させたり、表示手段により排出不良の表示を行なって、ユーザにジャム処理を促したりすることができる。したがって、処理がより困難なジャムの発生を未然に防止でき、ジャム処理性能を向上できる。
【００３０】
また、本実施例によれば、装置本体の前ドア８の開く動きに連動して、案内部材６１が内側ガイド板５３とともにジャム処理可能な位置まで退避するので、ジャム処理等の操作性を格段に良くすることができる。
【００３１】
また、本実施例によれば、案内部材６１をブラシローラ７を回避するように構成しているので、ブラシローラ７が損傷を受けることなく、ブラシローラ７の性質を変えずに長寿命化を図ることができ、安定した搬送性能を維持できる。
【００３２】
なお、本実施例では、本発明を両面コピー用の複写機における用紙搬送手段としての両面ユニット５に適用した例を示しているが、両面コピー用複写機に限らず、例えば、片面コピーの転写紙を反転させて排紙トレイ上に積層していくような機能を有する複写機などの画像形成装置の反転ユニットにも適用できるものである。
【００３３】
また、本実施例では、本発明を中間トレイ５７に収容された転写紙Ｐをスイッチバックさせて排出するような両面ユニット５に適用した例を示したが、スイッチバックさせないで中間トレイへの収容時の搬送方向と略同方向に搬送させながら排出するような用紙搬送装置でも、用紙の排出方向の先端部にカール等の変形が生じるおそれがある場合に適用できるものである。
【００３４】
また、本実施例では、本発明を画像形成装置としての複写機における両面ユニット５に適用した例を示しているが、画像形成装置に限ることなく、印刷機、包装機、金券・証券処理機、タバコ製造機などの用紙使用機械で用いる、用紙を中間トレイなどの中間用紙収容手段に一旦収容し、該中間用紙収容手段に収容した用紙を搬送路に向けて排出して搬送するような用紙搬送装置でも、用紙の排出方向の先端部にカール等の変形が生じるおそれがある場合に適用できるものである。
【００３５】
【発明の効果】
請求項１及び６の発明によれば、用紙にカール等の変形があった場合でも、用紙が排出用の搬送路に確実に案内されるので、用紙のジャムの発生を防止でき、再給紙等の用紙搬送の性能を向上させることができるという効果がある。
【００３６】
請求項２及び６の発明によれば、上記当接部を、用紙の上記中間用紙収容手段への進入方向と直交する方向において用紙の複数箇所に当接するように複数設けていることにより、当接部の用紙への当接圧力が分散され、各当接位置における当接圧力が小さくなるので、用紙の損傷を防止できるという効果がある。
【００３７】
請求項３及び６の発明によれば、用紙を上記中間用紙収容手段へ収容した後、その収容不良によって用紙のジャムが発生したときは、上記案内部が上記案内位置に移動しないので、上記検知手段によって用紙のジャムが検知できるようになる。このジャム検知の結果を利用して、用紙の搬送を停止させたり、ジャム処理を行なうことができるので、処理がより困難なジャムの発生を未然に防止でき、ジャム処理性能を向上できるという効果がある。
【００３８】
請求項４及び６の発明によれば、上記案内部を有する案内部材の周辺で用紙のジャムが発生したときに上記ドアを開くと、上記リンク機構によって、ドアを開く動作に連動して案内部材がジャム処理可能な位置に退避するので、ジャム処理等の操作性を向上できるという効果がある。
【００３９】
請求項５及び６の発明によれば、上記ブラシ状回転体と上記案内部材が干渉しないように構成することにより、案内部材がブラシ状回転体に接触してブラシ部材が抜けたり寝ぐせがつく等のブラシ状回転体の損傷の発生を防止できるので、ブラシ状回転体の性質を変えることなく長寿命化を図ることができ、安定した搬送性能を維持できるという効果がある。
【図面の簡単な説明】
【図１】実施例に係る複写機の両面ユニット５の概略構成を示す正面図。
【図２】従来の複写機の両面ユニットの概略構成を示す正面図。
【図３】実施例に係る複写機の概略構成を示す正面図。
【図４】両面ユニット５の案内部材６１、内側ガイド板５３、ブラシローラ７等の配置を示す斜視図。
【図５】転写紙Ｐの排出不良が発生した状態の両面ユニット５の概略構成を示す正面図。
【図６】（ａ）は案内部材６１とブラシローラ７との位置関係を示す正面図。
（ｂ）は図１のＡ方向から見た案内部材６１、内側ガイド板５３、ブラシローラ７等の側面図。
【図７】前ドア８と案内部材６１との間のリンク機構の構成を示す説明図。
【図８】（ａ）は同リンク機構の動作を示す平面図。
（ｂ）は同リンク機構の動作を示す正面図。
【図９】前ドア８を開いて案内部材６１を退避させた状態の両面ユニット５の概略構成を示す正面図。
【符号の説明】
５      両面ユニット
７      ブラシローラ
８      前ドア
８ａ    レバー回動アーム当接部
５１    分岐爪
５２    外側ガイド板
５３    内側ガイド板
５３ｃ  排出従動ローラ
５６    排出ローラ
５７    中間トレイ
５７ａ  寄せコロ
５７ｂ  ジョガーフェンス
５８ａ  送り出しローラ
５８ｂ  搬送ローラ
５８ｃ  分離ベルト
５８ｅ  進入ガイド
５９    転写紙センサ
６１    案内部材
６１ａ  案内部
６２    当接部
６３    案内部材検知用アーム
６４    アーム検知センサ
８１    ガイド板解除レバー
８２    レバー回動アーム
８３    ブラケット
８４    ねじりコイルばね
Ｐ      転写紙
【図１】
0003787367.tif 000002
【図２】
0003787367.tif 000003
【図３】
0003787367.tif 000004
【図４】
0003787367.tif 000005
【図５】
0003787367.tif 000006
【図６】
0003787367.tif 000007
【図７】
0003787367.tif 000008
【図８】
0003787367.tif 000009
【図９】
0003787367.tif 000010